(57)【要約】【課題】タイヤ転動時の発熱を抑えて耐久性を向上できる非空気圧タイヤを提供する。【解決手段】内側環状部１と、外側環状部２と、内側環状部１と外側環状部２とを連結する複数の連結部３とを備え、複数の連結部３は、内側環状部１のタイヤ幅方向一方側ＷＤ１から外側環状部２のタイヤ幅方向他方側ＷＤ２へ向かって延設される長尺板状の第１連結部３１と、内側環状部１のタイヤ幅方向他方側ＷＤ２から外側環状部２のタイヤ幅方向一方側ＷＤ１へ向かって延設される長尺板状の第２連結部３２とがタイヤ周方向ＣＤに沿って配列されて構成されており、外側環状部２に結合される連結部３のタイヤ径方向外側端３ｃにおいて、タイヤ周方向ＣＤに面する連結部３の両側面３１ａ，３１ｂと外側環状部２の内周面２１とのなす角度α及び角度βが、７５°以上１２０°以下である。【選択図】図３
2019043504.tif 000002
【特許請求の範囲】
【請求項１】
車両からの荷重を支持する支持構造体を備える非空気圧タイヤにおいて、
前記支持構造体は、内側環状部と、その内側環状部の外側に同心円状に設けられた外側環状部と、前記内側環状部と前記外側環状部とを連結し、タイヤ周方向に各々独立して設けられた複数の連結部とを備え、
前記複数の連結部は、前記内側環状部のタイヤ幅方向一方側から前記外側環状部のタイヤ幅方向他方側へ向かって延設される長尺板状の第１連結部と、前記内側環状部の前記タイヤ幅方向他方側から前記外側環状部の前記タイヤ幅方向一方側へ向かって延設される長尺板状の第２連結部とがタイヤ周方向に沿って配列されて構成されており、
前記外側環状部に結合される前記連結部のタイヤ径方向外側端において、タイヤ周方向に面する前記連結部の両側面と前記外側環状部の内周面とのなす角度α及び角度βが、７５°以上１２０°以下である、非空気圧タイヤ。
【請求項２】
角度αと角度βが異なる、請求項１に記載の非空気圧タイヤ。
【請求項３】
角度αと角度βが等しい、請求項１に記載の非空気圧タイヤ。
【請求項４】
角度α及び角度βは９０°以上である、請求項１〜３の何れか１項に記載の非空気圧タイヤ。
【発明の詳細な説明】
【技術分野】
【０００１】
本発明は、タイヤ構造部材として、車両からの荷重を支持する支持構造体を備える非空気圧タイヤ（ｎｏｎ−ｐｎｅｕｍａｔｉｃ  ｔｉｒｅ）に関するものであり、好ましくは空気入りタイヤの代わりとして使用することができる非空気圧タイヤに関するものである。
【背景技術】
【０００２】
従来の非空気圧タイヤとしては、例えば例えばソリッドタイヤ、スプリングタイヤ、クッションタイヤ等が存在するが、空気入りタイヤの優れた性能を有していない。
【０００３】
下記特許文献１には、内側環状部と、その内側環状部の外側に同心円状に設けられた外側環状部と、前記内側環状部と前記外側環状部とを連結し、タイヤ周方向に各々独立して設けられた複数の連結部とを備える非空気圧タイヤが記載されている。特許文献１では、複数の連結部が、内側環状部のタイヤ幅方向一方側から外側環状部のタイヤ幅方向他方側へ向かって延設される第１連結部と、内側環状部のタイヤ幅方向他方側から外側環状部のタイヤ幅方向一方側へ向かって延設される第２連結部とがタイヤ周方向に交互に配列されて構成されており、タイヤ幅方向から見て、第１連結部と第２連結部は、タイヤ径方向に対して同じ側に傾斜していることで、路面からの入力を十分に減衰させてノイズ性能を向上させている。
【０００４】
また、下記特許文献２には、ウェブによって半径方向に隔離された関係で連結された外側フープ及び内側フープと、その両側でウェブに交差する逆向きに傾けられたリブと、を有する非空気式タイヤが記載されている。また、下記特許文献３には、接地面を有する円筒状のトレッドリング、前記トレッドリングの半径方向内側に配されるハブ、及び前記トレッドリングとハブとを連結するスポークを具えるエアレスタイヤが記載されている。
【０００５】
ところで、特許文献１〜３のようなスポーク構造を有する非空気圧タイヤは、タイヤ転動時のスポークの発熱による耐久性の低下が問題となる。そのため、発熱を抑制するスポーク形状が望まれるが、スポーク形状によっては歪が集中して却って耐久性が低下するおそれがある。特許文献１〜３では、このようなスポークの発熱と耐久性の関係については何ら検討されていない。
【先行技術文献】
【特許文献】
【０００６】
【特許文献１】特開２０１４−１１８１１６号公報
【特許文献２】特開平６−４０２０１号公報
【特許文献３】特開２０１５−１２０４４０号公報
【発明の概要】
【発明が解決しようとする課題】
【０００７】
そこで、本発明の目的は、タイヤ転動時の発熱を抑えて耐久性を向上できる非空気圧タイヤを提供することにある。
【課題を解決するための手段】
【０００８】
上記目的は、下記の如き本発明により達成できる。      
即ち、本発明の非空気圧タイヤは、車両からの荷重を支持する支持構造体を備える非空気圧タイヤにおいて、前記支持構造体は、内側環状部と、その内側環状部の外側に同心円状に設けられた外側環状部と、前記内側環状部と前記外側環状部とを連結し、タイヤ周方向に各々独立して設けられた複数の連結部とを備え、前記複数の連結部は、前記内側環状部のタイヤ幅方向一方側から前記外側環状部のタイヤ幅方向他方側へ向かって延設される長尺板状の第１連結部と、前記内側環状部の前記タイヤ幅方向他方側から前記外側環状部の前記タイヤ幅方向一方側へ向かって延設される長尺板状の第２連結部とがタイヤ周方向に沿って配列されて構成されており、前記外側環状部に結合される前記連結部のタイヤ径方向外側端において、タイヤ周方向に面する前記連結部の両側面と前記外側環状部の内周面とのなす角度α及び角度βが、７５°以上１２０°以下である。
【０００９】
本発明に係る非空気圧タイヤにおいて、角度αと角度βが異なってもよい。
【００１０】
また、本発明に係る非空気圧タイヤにおいて、角度αと角度βが等しくてもよい。
【００１１】
また、本発明に係る非空気圧タイヤにおいて、角度α及び角度βは９０°以上であることが好ましい。
【００１２】
本発明の非空気圧タイヤは、内側環状部と、その内側環状部の外側に同心円状に設けられた外側環状部と、内側環状部と外側環状部とを連結する複数の連結部とを備えている。複数の連結部は、複数の第１連結部と第２連結部とがタイヤ周方向に配列されて構成されている。第１連結部は、内側環状部のタイヤ幅方向一方側から外側環状部のタイヤ幅方向他方側へ向かって延設され、第２連結部は、内側環状部のタイヤ幅方向他方側から外側環状部のタイヤ幅方向一方側へ向かって延設されている。本発明では、外側環状部に結合される連結部（第１連結部と第２連結部）のタイヤ径方向外側端において、タイヤ周方向に面する連結部の両側面と外側環状部の内周面とのなす角度α及び角度βを７５°以上１２０°以下にしている。本発明者は、鋭意研究を重ねたところ、連結部の側面と外側環状部の内周面とがなす角度がこの範囲であれば、耐久性は低下せずに、乱流効果による放熱性が担保されることを見出した。よって、本発明によれば、タイヤ転動時の発熱を抑えて耐久性を向上できる。
【図面の簡単な説明】
【００１３】
【図１】本発明の非空気圧タイヤの一例を示す正面図
【図２Ａ】図１の非空気圧タイヤのＡ−Ａ断面図
【図２Ｂ】図１の非空気圧タイヤの一部を示す斜視図
【図３】図１の非空気圧タイヤの部分拡大図
【図４】他の実施形態に係る非空気圧タイヤの部分拡大図
【発明を実施するための形態】
【００１４】
以下、本発明の実施の形態について、図面を参照しながら説明する。初めに、本発明の非空気圧タイヤＴの構成を説明する。図１は、非空気圧タイヤＴの一例を示す正面図である。図２Ａは、図１のＡ−Ａ断面図であり、図２Ｂは、非空気圧タイヤの一部を示す斜視図である。図３は、図１の一部を拡大して示す図である。ここで、Ｏは軸芯を、Ｈはタイヤ断面高さを、それぞれ示している。
【００１５】
非空気圧タイヤＴは、車両からの荷重を支持する支持構造体ＳＳを備えるものである。本発明の非空気圧タイヤＴは、このような支持構造体ＳＳを備えるものであればよく、その支持構造体ＳＳの外側（外周側）や内側（内周側）に、トレッドに相当する部材、補強層、車軸やリムとの適合用部材などを備えていてもよい。
【００１６】
本実施形態の非空気圧タイヤＴは、図１の正面図に示すように、支持構造体ＳＳが、内側環状部１と、その外側に同心円状に設けられた外側環状部２と、内側環状部１と外側環状部２とを連結し、タイヤ周方向ＣＤに各々独立して設けられた複数の連結部３とを備えている。
【００１７】
内側環状部１は、ユニフォミティを向上させる観点から、厚みが一定の円筒形状であることが好ましい。また、内側環状部１の内周面には、車軸やリムとの装着のために、嵌合性を保持するための凹凸等を設けるのが好ましい。
【００１８】
内側環状部１の厚みは、連結部３に力を十分伝達しつつ、軽量化や耐久性の向上を図る観点から、タイヤ断面高さＨの２〜１０％が好ましく、３〜９％がより好ましい。
【００１９】
内側環状部１の内径は、非空気圧タイヤＴを装着するリムや車軸の寸法などに併せて適宜決定される。ただし、一般の空気入りタイヤの代替を想定した場合、２５０〜５００ｍｍが好ましく、３２０〜４４０ｍｍがより好ましい。
【００２０】
内側環状部１のタイヤ幅方向の幅は、用途、車軸の長さ等に応じて適宜決定されるが、一般の空気入りタイヤの代替を想定した場合、１００〜３００ｍｍが好ましく、１２０〜２５０ｍｍがより好ましい。
【００２１】
内側環状部１の引張モジュラスは、連結部３に力を十分伝達しつつ、軽量化や耐久性の向上、装着性を図る観点から、５〜１８００００ＭＰａが好ましく、７〜５００００ＭＰａがより好ましい。なお、本発明における引張モジュラスは、ＪＩＳ  Ｋ７３１２に準じて引張試験を行い、１０％伸び時の引張応力から算出した値である。
【００２２】
本発明における支持構造体ＳＳは、弾性材料で成形されるが、支持構造体ＳＳを製造する際に、一体成形が可能となる観点から、内側環状部１、外側環状部２、及び連結部３は、補強構造を除いて基本的に同じ材質とすることが好ましい。
【００２３】
本発明における弾性材料とは、ＪＩＳ  Ｋ７３１２に準じて引張試験を行い、１０％伸び時の引張応力から算出した引張モジュラスが、１００ＭＰａ以下のものを指す。本発明の弾性材料としては、十分な耐久性を得ながら、適度な剛性を付与する観点から、好ましくは引張モジュラスが５〜１００ＭＰａであり、より好ましくは７〜５０ＭＰａである。母材として用いられる弾性材料としては、熱可塑性エラストマー、架橋ゴム、その他の樹脂が挙げられる。
【００２４】
熱可塑性エラストマーとしては、ポリエステルエラストマー、ポリオレフィンエラストマー、ポリアミドエラストマー、ポリスチレンエラストマー、ポリ塩化ビニルエラストマー、ポリウレタンエラストマー等が例示される。架橋ゴム材料を構成するゴム材料としては、天然ゴムの他、スチレンブタジエンゴム（ＳＢＲ）、ブタジエンゴム（ＢＲ）、イソプレンゴム（ＩＩＲ）、ニトリルゴム（ＮＢＲ）、水素添加ニトリルゴム（水添ＮＢＲ）、クロロプレンゴム（ＣＲ）、エチレンプロピレンゴム（ＥＰＤＭ）、フッ素ゴム、シリコンゴム、アクリルゴム、ウレタンゴム等の合成ゴムが例示される。これらのゴム材料は必要に応じて２種以上を併用してもよい。
【００２５】
その他の樹脂としては、熱可塑性樹脂、又は熱硬化性樹脂が挙げられる。熱可塑性樹脂としては、ポリエチレン樹脂、ポリスチレン樹脂、ポリ塩化ビニル樹脂などが挙げられ、熱硬化性樹脂としては、エポキシ樹脂、フェノール樹脂、ポリウレタン樹脂、シリコン樹脂、ポリイミド樹脂、メラミン樹脂などが挙げられる。
【００２６】
上記の弾性材料のうち、成形・加工性やコストの観点から、好ましくは、ポリウレタン樹脂が用いられる。なお、弾性材料としては、発泡材料を使用してもよく、上記の熱可塑性エラストマー、架橋ゴム、その他の樹脂を発泡させたもの使用可能である。
【００２７】
弾性材料で一体成形された支持構造体ＳＳは、内側環状部１、外側環状部２、及び連結部３が、補強繊維により補強されていることが好ましい。
【００２８】
補強繊維としては、長繊維、短繊維、織布、不織布などの補強繊維が挙げられるが、長繊維を使用する形態として、タイヤ幅方向に配列される繊維とタイヤ周方向に配列される繊維とから構成されるネット状繊維集合体を使用するのが好ましい。
【００２９】
補強繊維の種類としては、例えば、レーヨンコード、ナイロン−６，６等のポリアミドコード、ポリエチレンテレフタレート等のポリエステルコード、アラミドコード、ガラス繊維コード、カーボンファイバー、スチールコード等が挙げられる。
【００３０】
本発明では、補強繊維を用いる補強の他、粒状フィラーによる補強や、金属製リング等による補強を行うことが可能である。粒状フィラーとしては、カーボンブラック、シリカ、アルミナ等のセラミックス、その他の無機フィラーなどが挙げられる。
【００３１】
外側環状部２の形状は、ユニフォミティを向上させる観点から、厚みが一定の円筒形状であることが好ましい。外側環状部２の厚みは、連結部３からの力を十分伝達しつつ、軽量化や耐久性の向上を図る観点から、タイヤ断面高さＨの２〜２０％が好ましく、１０〜１５％がより好ましい。
【００３２】
外側環状部２の内径は、その用途等応じて適宜決定される。ただし、一般の空気入りタイヤの代替を想定した場合、４２０〜７５０ｍｍが好ましく、４７０〜６８０ｍｍがより好ましい。
【００３３】
外側環状部２のタイヤ幅方向の幅は、用途等に応じて適宜決定されるが、一般の空気入りタイヤの代替を想定した場合、１００〜３００ｍｍが好ましく、１２０〜２５０ｍｍがより好ましい。
【００３４】
外側環状部２の引張モジュラスは、図１に示すように外側環状部２の外周に補強層７が設けられている場合には、内側環状部１と同程度に設定できる。このような補強層７を設けない場合には、連結部３からの力を十分伝達しつつ、軽量化や耐久性の向上を図る観点から、５〜１８００００ＭＰａが好ましく、７〜５００００ＭＰａがより好ましい。
【００３５】
外側環状部２の引張モジュラスを高める場合、弾性材料を繊維等で補強した繊維補強材料が好ましい。外側環状部２を補強繊維により補強することで、外側環状部２とベルト層などとの接着も十分となる。
【００３６】
連結部３は、内側環状部１と外側環状部２とを連結するものであり、両者の間に適当な間隔を開けるなどして、タイヤ周方向ＣＤに各々が独立するように複数設けられる。
【００３７】
複数の連結部３は、第１連結部３１と第２連結部３２とがタイヤ周方向ＣＤに沿って配列されて構成されている。この際、第１連結部３１と第２連結部３２は、タイヤ周方向ＣＤに沿って交互に配列されていることが好ましい。これにより、タイヤ転動時の接地圧分散をより小さくできる。
【００３８】
また、第１連結部３１と第２連結部３２との間のタイヤ周方向ＣＤのピッチｐは、ユニフォミティを向上させる観点から、一定とするのが好ましい。ピッチｐは、０〜１０ｍｍが好ましく、０〜５ｍｍがより好ましい。ピッチｐが１０ｍｍよりも大きいと、接地圧が不均一となり、ノイズが増大する要因となり得る。
【００３９】
第１連結部３１は、内側環状部１のタイヤ幅方向一方側ＷＤ１から外側環状部２のタイヤ幅方向他方側ＷＤ２へ向かって延設されている。一方、第２連結部３２は、内側環状部１のタイヤ幅方向他方側ＷＤ２から外側環状部２のタイヤ幅方向一方側ＷＤ１へ向かって延設されている。すなわち、隣り合う第１連結部３１と第２連結部３２は、タイヤ周方向ＣＤから見ると、略Ｘ字状に配置されている。
【００４０】
タイヤ周方向ＣＤから見た第１連結部３１と第２連結部３２は、図２Ａに示すように、タイヤ赤道面Ｃに対して対称な形状であることが好ましい。そのため、以下では、主として第１連結部３１について説明する。
【００４１】
第１連結部３１は、内側環状部１から外側環状部２へと延びる長尺板状をしている。第１連結部３１は、板厚ｔが板幅ｗよりも小さく、板厚方向ＰＴがタイヤ周方向ＣＤを向いている。すなわち、第１連結部３１は、タイヤ径方向ＲＤ及びタイヤ幅方向ＷＤに延びる板状である。第１連結部３１及び第２連結部３２をこのような長尺板状とすることにより、仮に板厚ｔを薄くしても、板幅ｗを広く設定することで、第１連結部３１及び第２連結部３２は所望の剛性を得ることができるため、耐久性を向上できる。また、板厚ｔを薄くしつつ第１連結部３１及び第２連結部３２の数を増やすことで、タイヤ全体の剛性を維持しつつ、タイヤ周方向ＣＤに隣り合う連結部同士の隙間を小さくすることができるため、タイヤ転動時の接地圧分散を小さくできる。
【００４２】
図３に示すように、第１連結部３１は、タイヤ径方向内側端３ａにて内側環状部１に結合され、タイヤ径方向外側端３ｃにて外側環状部２に結合されている。第１連結部３１の両側面３１ａ，３１ｂは、いずれも平面であり、第１連結部３１の板厚ｔは、外側環状部２から内側環状部１へ向かって漸減している。ただし、第１連結部３１の板厚ｔは、長手方向ＰＬに沿って一定としてもよい。
【００４３】
第１連結部３１のタイヤ径方向外側端３ｃにおいて、タイヤ周方向ＣＤに面する第１連結部３１の一方の側面３１ａと外側環状部２の内周面２１とのなす角度をαとし、第１連結部３１の他方の側面３１ｂと外側環状部２の内周面２１とのなす角度をβとする。より具体的には、角度αは、第１連結部３１の側面３１ａと、側面３１ａと外側環状部２の内周面２１の交線を通って内周面２１に接する仮想平面２ａとのなす角度である。同様に、角度βは、第１連結部３１の側面３１ｂと、側面３１ｂと外側環状部２の内周面２１の交線を通って内周面２１に接する仮想平面２ｂとのなす角度である。
【００４４】
角度α及び角度βは７５°以上１２０°以下となっている。好ましくは、角度α及び角度βは９０°以上である。角度α及び角度βが７５°未満の場合、第１連結部３１のタイヤ径方向外側端３ｃに歪が集中して耐久性が低下する。一方、角度α及び角度βが１２０°より大きい場合、乱流効果が得られにくく、発熱による耐久性の低下が発生する。
【００４５】
図３の例では、角度αと角度βは等しくなっている。角度αと角度βを等しくすることで、第１連結部３１の側面３１ａと側面３１ｂに発生する歪が第１連結部３１一帯において均一となり、歪に対する耐久性が低下しにくくなる。
【００４６】
ただし、角度αと角度βは異なってもよい。角度αと角度βを異ならせることで方向性を持つタイヤを形成することができる。また、角度αと角度βを異ならせることで、タイヤ全体の剛性を調整することができる。角度αと角度αの差は、０〜４５°が好ましく、０〜３０°がより好ましい。
【００４７】
板厚ｔは、内側環状部１および外側環状部２からの力を十分伝達しつつ、軽量化や耐久性の向上を図る観点から、８〜３０ｍｍが好ましく、１０〜２５ｍｍがより好ましい。
【００４８】
板幅ｗは、内側環状部１および外側環状部２からの力を十分伝達しつつ、軽量化や耐久性の向上を図る観点から、５〜２５ｍｍが好ましく、１０〜２０ｍｍがより好ましい。また、板幅ｗは、耐久性を向上させつつ接地圧分散を小さくする観点から、板厚ｔの１１０％以上が好ましく、１１５％以上がより好ましい。
【００４９】
第１連結部３１は、内側環状部１との結合部付近及び外側環状部２との結合部付近において、内側環状部１又は外側環状部２へ向かって徐々に板幅を大きくした補強部３３を有することが好ましい。これにより、第１連結部３１の耐久性をさらに向上させることができる。補強部３３を設ける範囲は、第１連結部３１のタイヤ径方向中央部３ｂからｈの±２５％の範囲外とするのが好ましい。
【００５０】
連結部３の数としては、車両からの荷重を十分支持しつつ、軽量化、動力伝達の向上、耐久性の向上を図る観点から、８０〜３００個が好ましく、１００〜２００個がより好ましい。図１には、第１連結部３１を５０個、第２連結部３２を５０個設けた例を示す。
【００５１】
連結部３の引張モジュラスは、内側環状部１および外側環状部２からの力を十分伝達しつつ、軽量化や耐久性の向上、横剛性の向上を図る観点から、５〜１８００００ＭＰａが好ましく、７〜５００００ＭＰａがより好ましい。連結部３の引張モジュラスを高める場合、弾性材料を繊維等で補強した繊維補強材料が好ましい。
【００５２】
本実施形態では、図１に示すように、支持構造体ＳＳの外側環状部２の外側に、その外側環状部２の曲げ変形を補強する補強層７が設けられている例を示す。また、本実施形態では、図１に示すように、補強層７の更に外側にトレッド８が設けられている例を示す。補強層７、トレッド８としては、従来の空気入りタイヤのベルト層と同様のものを設けることが可能である。なお、トレッド８は、樹脂で形成してもよい。また、トレッドパターンとして、従来の空気入りタイヤと同様のパターンを設けることが可能である。
【００５３】
本発明において、連結部３のタイヤ径方向外側端とトレッド８の間には、タイヤ幅方向の剛性を高める幅方向補強層をさらに配置することが好ましい。これにより、外側環状部２のタイヤ幅方向中央部での座屈を抑制して、連結部３の耐久性をさらに向上できる。幅方向補強層は、外側環状部２に埋設されるか、もしくは外側環状部２の外側に配置される。幅方向補強層としては、スチールコードやＣＦＲＰ、ＧＦＲＰ等の繊維強化プラスチック製のコードをタイヤ幅方向に対して略平行に配列したもの、円筒状の金属製リングや高モジュラス樹脂製リングなどが例示される。
【００５４】
［他の実施形態］
前述の実施形態では、第１連結部３１の両側面３１ａ，３１ｂをいずれもタイヤ径方向内側端３ａからタイヤ径方向外側端３ｃまで連続する平面で構成し、第１連結部３１の板厚ｔが、外側環状部２から内側環状部１へ向かって一定の割合で漸減している例を示したが、これに限定されない。図４に示すように、第１連結部３１の両側面３１ａ，３１ｂをタイヤ径方向内側端３ａからタイヤ径方向外側端３ｃまで連続する平面以外で構成してもよい。
【００５５】
第１連結部３１は、タイヤ径方向内側端３ａからタイヤ径方向中央部３ｂに向かって徐々に板厚が大きくなる厚肉部３１１と、タイヤ径方向外側端３ｃからタイヤ径方向中央部３ｂを通ってタイヤ径方向内側端３ａへ向かって徐々に板厚が小さくなる薄肉部３１２と、厚肉部３１１から薄肉部３１２へかけて薄肉化されたテーパ部３１３とを備える。厚肉部３１１とテーパ部３１３は、タイヤ径方向中央部３ｂよりもタイヤ径方向内側に位置している。厚肉部３１１のタイヤ周方向ＣＤの両側面は、タイヤ径方向ＲＤに沿って放射状に延びており、これにより、厚肉部３１１は板厚がタイヤ径方向外側へ向かって漸増している。また、薄肉部３１２のタイヤ周方向ＣＤの両側面は、タイヤ径方向ＲＤに沿って放射状に延びており、これにより、薄肉部３１２は板厚がタイヤ径方向内側へ向かって漸減している。この実施形態では、角度αは、薄肉部３１２の一方の側面３１ａと外側環状部２の内周面２１とのなす角度、角度βは、薄肉部３１２の他方の側面３１ｂと外側環状部２の内周面２１とのなす角度とする。
【００５６】
第１連結部３１は、タイヤ径方向内側端３ａにおける板厚ｔａが、タイヤ径方向中央部３ｂにおける板厚ｔｂよりも大きい。これにより、第１連結部３１は、タイヤ径方向内側端３ａ付近、すなわち内側環状部１側の根元部分の撓みが抑制されるため、タイヤに大きな荷重が加わった際にもタイヤ径方向中央部３ｂが大きく撓んで隣接する第２連結部３２のタイヤ径方向中央部に接触することを防ぐことができ、耐久性をさらに向上できる。板厚ｔａは、板厚ｔｂの１１０％以上が好ましく、１２０％以上がより好ましい。
【００５７】
また、タイヤ径方向外側端３ｃにおける板厚ｔｃが、タイヤ径方向中央部３ｂにおける板厚ｔｂよりも大きいことで、第１連結部３１は、タイヤ径方向外側端３ｃ付近、すなわち外側環状部２側の根元部分の撓みが抑制されるため、タイヤに大きな荷重が加わった際にもタイヤ径方向中央部３ｂが大きく撓んで隣接する第２連結部３２のタイヤ径方向中央部に接触することを防ぐことができ、耐久性をさらに向上できる。板厚ｔｃは、板厚ｔｂの１１０％以上が好ましく、１２５％以上がより好ましい。
【００５８】
また、タイヤ径方向外側端３ｃにおける板厚ｔｃが、タイヤ径方向内側端３ａにおける板厚ｔａよりも大きいことが好ましい。すなわち、板厚ｔｃ＞板厚ｔａ＞板厚ｔｂとするのが好ましい。板厚ｔｃは、板厚ｔａの１１０％以上が好ましく、１１５％以上がより好ましい。
【実施例】
【００５９】
以下、本発明の構成と効果を具体的に示す実施例等について説明する。なお、実施例等における耐久性は、ＦＭＶＳＳ１０９に準拠し、ドラム試験機により次のようにして測定を行った。試験速度は８０ｋｍ／ｈで一定とし、漸増する４ステップに分かれた荷重を負荷しながら、故障が発生するまでの走行距離を測定した。比較例１での走行距離を１００としたときの指数で示し、この値が大きい方が優れる。
【００６０】
実施例及び比較例
角度αと角度βを表１に示す値とした非空気圧タイヤを作製して耐久性を評価した。
【００６１】
【表１】
2019043504.tif 000003
【００６２】
表１の結果から以下のことが分かる。実施例１〜３は、比較例１〜３に比べて耐久性が向上した。
【符号の説明】
【００６３】
１    内側環状部
２    外側環状部
３    連結部
３ｃ  タイヤ径方向外側端
３１    第１連結部
３１ａ  第１連結部の側面
３１ｂ  第１連結部の側面
３２    第２連結部
ＳＳ    支持構造体
Ｔ    非空気圧タイヤ
ＣＤ    タイヤ周方向
ＷＤ    タイヤ幅方向
ＲＤ    タイヤ径方向
ＷＤ１  タイヤ幅方向一方側
ＷＤ２  タイヤ幅方向他方側
ｔ    板厚
ｗ    板幅
【図１】
2019043504.tif 000004
【図２Ａ】
2019043504.tif 000005
【図２Ｂ】
2019043504.tif 000006
【図３】
2019043504.tif 000007
【図４】
2019043504.tif 000008